(57)【特許請求の範囲】
【請求項１】
複数の開口部が設けられた筐体、
前記複数の開口部の近くに配置された複数の浸水検知部、
前記複数の開口部のうちいずれか１つの近くに配置される電源回路、
前記複数の開口部のうちいずれか１つの近くに配置され、サーバと通信するための通信回路、
データを記憶する記憶部、
前記複数の浸水検知部のうちいずれか１つによって浸水が検知されたとき、前記記憶部に記憶されたデータをバックアップするバックアップ部、および
前記電源回路の近くの浸水検知部で浸水が検知されておらず、かつ前記通信回路の近くの浸水検知部で浸水が検知されていないとき、バックアップされたバックアップデータを前記サーバに送信する送信部を備える、携帯端末。
【請求項２】
外部記録装置と接続可能なＩ／Ｆをさらに備え、
前記バックアップ部は、前記バックアップデータを前記外部記録装置に記憶させる、請求項１記載の携帯端末。
【請求項３】
浸水が検知されたことを事業者に通知する通知部をさらに備える、請求項１または２記載の携帯端末。
【請求項４】
表示部をさらに備え、
前記表示部は、当該表示部に浸水が検知されたことを通知するメッセージを表示する、請求項１ないし３のいずれかに記載の携帯端末。
【請求項５】
前記電源回路の近くの浸水検知部によって浸水が検知されたとき、前記電源回路による給電を遮断する遮断部をさらに備える、請求項１ないし４のいずれかに記載の携帯端末。
【請求項６】
前記浸水検知部は、静電センサを含む、請求項１ないし５のいずれかに記載の携帯端末。
【請求項７】
複数の開口部が設けられた筐体、前記複数の開口部の近くに配置された複数の浸水検知部、前記複数の開口部のうちいずれか１つの近くに配置される電源回路、前記開口部のうちいずれか１つの近くに配置され、サーバと通信するための通信回路およびデータを記憶する記憶部を有する、携帯端末のプロセッサを、
前記複数の浸水検知部のうちいずれか１つによって浸水が検知されたとき、前記記憶部に記憶されたデータをバックアップするバックアップ部、および
前記電源回路の近くの浸水検知部で浸水が検知されておらず、かつ前記通信回路の近くの浸水検知部で浸水が検知されていないとき、バックアップされたバックアップデータを前記サーバに送信する送信部として機能させる、浸水検知プログラム。
【請求項８】
複数の開口部が設けられた筐体、前記複数の開口部の近くに配置された複数の浸水検知部、前記複数の開口部のうちいずれか１つの近くに配置される電源回路、前記開口部のうちいずれか１つの近くに配置され、サーバと通信するための通信回路およびデータを記憶する記憶部を有する、携帯端末における浸水検知方法であって、前記携帯端末のプロセッサが、
前記複数の浸水検知部のうちいずれか１つによって浸水が検知されたとき、前記記憶部に記憶されたデータをバックアップするバックアップステップ、および
前記電源回路の近くの浸水検知部で浸水が検知されておらず、かつ前記通信回路の近くの浸水検知部で浸水が検知されていないとき、バックアップされたバックアップデータを前記サーバに送信する送信ステップを実行する、浸水検知方法。
【請求項９】
複数の開口部が設けられた筐体、
前記複数の開口部の近くに配置された複数の静電センサ、
前記複数の開口部のうちいずれか１つの近くに配置される電源回路、
前記開口部のうちいずれか１つの近くに配置され、サーバと通信するための通信回路、
データを記憶する記憶部、
前記複数の静電センサのうちいずれか１つによって浸水が検知されたとき、前記記憶部に記憶されたデータをバックアップするバックアップ部、および
前記電源回路の近くの浸水検知部で浸水が検知されておらず、かつ前記通信回路の近くの浸水検知部で浸水が検知されていないとき、バックアップされたバックアップデータを前記サーバに送信する送信部を備える、携帯端末。
【請求項１０】
複数の開口部が設けられた筐体、
前記複数の開口部の近くに配置された複数の浸水検知部、
前記開口部のうちいずれか１つの近くに配置され、サーバと通信するための通信回路、
データを記憶する記憶部、
前記複数の浸水検知部のうちいずれか１つによって浸水が検知されたとき、前記記憶部に記憶されたデータをバックアップするバックアップ部、および
バックアップされたバックアップデータを前記サーバに送信する送信部を備え、
前記通信回路の近くに配置されている浸水検知部によって浸水が検知されたとき、前記バックアップデータを前記サーバに送信しないようにする、携帯端末。
【発明の詳細な説明】
【技術分野】
【０００１】
この発明は、携帯端末、浸水検知プログラムおよび浸水検知方法に関し、特に浸水が想定された、携帯端末、浸水検知プログラムおよび浸水検知方法に関する。
【背景技術】
【０００２】
従来、浸水が想定された、携帯端末は広く知られており、この種の装置の一例が特許文献１に開示されている。この背景技術の携帯用電子装置は、損傷事象センサとして機能する加速度計、熱検出器および湿気検出器を有している。この損傷事象センサによって、自由落下、火または水による、差し迫っている損傷事象が検出されると、携帯用電子装置は、データ喪失を見越して、データを外部のバックアップサーバーに伝送する。
【特許文献１】特開２００１−３３１２８１号公報［G06F 3/08, G06F 12/16, H04B 1/40, H04Q 7/32, H04M 1/02］
【発明の概要】
【発明が解決しようとする課題】
【０００３】
ところが、特許文献１では、損傷事象の詳細な状態を検出することができないため、検出された損傷事象（たとえば、浸水）の状態に合わせた対応をとることができない。
【０００４】
それゆえに、この発明の主たる目的は、新規な、携帯端末、浸水検知プログラムおよび浸水検知方法を提供することである。
【０００５】
この発明の他の目的は、浸水の状態に合わせてデータを保護することができる、携帯端末、浸水検知プログラムおよび浸水検知方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、複数の開口部が設けられた筐体、複数の開口部の近くに配置された複数の浸水検知部、複数の開口部のうちいずれか１つの近くに配置される電源回路、複数の開口部のうちいずれか１つの近くに配置され、サーバと通信するための通信回路、データを記憶する記憶部、複数の浸水検知部のうちいずれか１つによって浸水が検知されたとき、記憶部に記憶されたデータをバックアップするバックアップ部、および電源回路の近くの浸水検知部で浸水が検知されておらず、かつ通信回路の近くの浸水検知部で浸水が検知されていないとき、バックアップされたバックアップデータをサーバに送信する送信部を備える、携帯端末である。
【０００８】
第１の発明では、携帯端末（１０：実施例において対応する部分を例示する参照符号。以下、同じ。）は、１または２以上の筐体（Ｃ１，Ｃ２）を有している。筐体には、複数の開口部として、通話中に利用されるスピーカ（１８）およびマイク（２２）のための開口（ＯＰ１，ＯＰ２）や、外部電源の接続口（５２）などが設けられている。また、携帯端末が折り畳み型であれば、２つの筐体を接続するヒンジ機構（Ｈ）の隙間も上記開口部に含まれる。浸水検知部（３８：３８ａ−３８ｄ）は、上述した各開口部の近くの基板（７０）上にそれぞれ配置される。
また、電源回路（４４）は、たとえば二次電池（４６）から得た電力を、携帯端末に給電する。また、電源回路は、たとえば外部電源が接続される接続口の近くに配置される。通信回路（１４）は、無線通信によって、バックアップ用のサーバ（１０２）と通信する。記憶部は、ＲＡＭ（３４）などであり、アドレス帳や、受信メールのデータが記憶される。バックアップ部は、複数の浸水検知部のうちいずれか１つによって浸水が検知されると、記憶部に記憶されたデータをバックアップする。送信部は、電源回路の近くの浸水検知部で浸水が検知されておらず、かつ通信回路の近くの浸水検知部で浸水が検知されていないとき、バックアップされたバックアップデータをサーバに送信する。
【０００９】
第１の発明によれば、各開口部の近くに浸水検知部が配置されるため、浸水している部位を特定することができる。
【００１３】
第２の発明は、第１の発明に従属し、外部記録装置と接続可能なＩ／Ｆをさらに備え、バックアップ部は、バックアップデータを外部記録装置に記憶させる。
【００１４】
第２の発明では、Ｉ／Ｆ（４０）には、外部記録装置として、取り外しが容易なメモリカード（４２）が接続される。そして、浸水が検知されると、バックアップ部は、バックアップデータを、外部記録装置に記憶させる。
【００１５】
第２の発明によれば、取り外しが容易なメモリカードにデータをバックアップすることで、携帯端末を容易に復旧できるようになる。
また、記憶部に記憶されているデータが、外部記録装置およびサーバの両方に保存されるため、データ保護の信頼性を向上させることができる。
【００１６】
第３の発明は、第１の発明または第２の発明に従属し、浸水が検知されたことを事業者に通知する通知部をさらに備える。
【００１７】
第３の発明では、浸水が検知されると、通知部は、浸水が検知されたことを事業者に通知する。
【００１８】
また、事業者には、たとえば記憶部に記憶されている、携帯端末の電話番号、機種名および製造番号などの端末データと、浸水を検知した検知時刻と浸水が検知された検知部位とが識別情報として通知（送信）される。また、通知された識別情報は、事業者のデータサーバに蓄積される。そして、事業者は、浸水した携帯電話機が修理に出されると、データサーバを検索することで、携帯端末の現状を詳細に知ることができる。
【００１９】
第３の発明によれば、事業者は、浸水した携帯端末が修理に出されると、その携帯端末から通知された識別情報を利用して、携帯端末の現状を詳細に知ることができるため、携帯端末を容易に修理できるようになる。
【００２０】
第４の発明は、第１発明ないし第３の発明のいずれかに従属し、表示部をさらに備え、表示部は、当該表示部に浸水が検知されたことを通知するメッセージを表示する。
【００２１】
第４の発明では、浸水が検知されると、表示部（３０）は、浸水が検知されたことを通知するメッセージを表示する。
【００２２】
第４の発明によれば、使用者に対して、携帯端末を修理に出すように促すことができる。
【００２３】
第５の発明は、第１発明ないし第４の発明のいずれかに従属し、電源回路の近くの浸水検知部によって浸水が検知されたとき、電源回路による給電を遮断する遮断部をさらに備える。
【００２４】
第５の発明では、遮断部は、電源回路の近くに配置された浸水検知部が浸水を検知すると、電源回路による給電を遮断する。
【００２５】
第５の発明によれば、電源回路の近くで浸水が検知された場合、大電流での短絡（ショート）によってデータが消滅する可能性が有るため、携帯端末の電源をオフにして、携帯端末のデータを保護する。
【００３２】
第６の発明は、第１の発明ないし第５の発明に従属し、浸水検知部は、静電センサを含む。
【００３３】
第６の発明によれば、タッチキーとしても利用可能な静電センサを利用して、浸水を検出することができる。
【００３４】
第７の発明は、複数の開口部（ＯＰ１，ＯＰ２，５０，５２）が設けられた筐体（Ｃ１，Ｃ２）、複数の開口部の近くに配置された複数の浸水検知部（３８：３８ａ−３８ｄ）、複数の開口部のうちいずれか１つの近くに配置される電源回路、開口部のうちいずれか１つの近くに配置され、サーバと通信するための通信回路およびデータを記憶する記憶部を有する、携帯端末（１０）のプロセッサ（２４）を、複数の浸水検知部のうちいずれか１つによって浸水が検知されたとき、記憶部に記憶されたデータをバックアップするバックアップ部、および電源回路の近くの浸水検知部で浸水が検知されておらず、かつ通信回路の近くの浸水検知部で浸水が検知されていないとき、バックアップされたバックアップデータをサーバに送信する送信部として機能させる、浸水検知プログラムである。
【００３５】
第７の発明でも、第１の発明と同様、各開口部の近くに浸水検知部が配置されるため、浸水している部位を特定することができる。
【００３６】
第８の発明は、複数の開口部（ＯＰ１，ＯＰ２，５０，５２）が設けられた筐体（Ｃ１，Ｃ２）、複数の開口部の近くに配置された複数の浸水検知部（３８：３８ａ−３８ｄ）、複数の開口部のうちいずれか１つの近くに配置される電源回路、開口部のうちいずれか１つの近くに配置され、サーバと通信するための通信回路およびデータを記憶する記憶部を有する、携帯端末（１０）における浸水検知方法であって、携帯端末のプロセッサが、複数の浸水検知部のうちいずれか１つによって浸水が検知されたとき、記憶部に記憶されたデータをバックアップするバックアップステップ、および電源回路の近くの浸水検知部で浸水が検知されておらず、かつ通信回路の近くの浸水検知部で浸水が検知されていないとき、バックアップされたバックアップデータをサーバに送信する送信ステップを実行する、浸水検知方法である。
【００３７】
第８の発明でも、第１の発明と同様、各開口部の近くに浸水検知部が配置されるため、浸水している部位を特定することができる。
【００３８】
第９の発明は、複数の開口部（ＯＰ１，ＯＰ２，５０，５２）が設けられた筐体（Ｃ１，Ｃ２）、複数の開口部の近くに配置された複数の静電センサ（３８：３８ａ−３８ｄ）、複数の開口部のうちいずれか１つの近くに配置される電源回路、開口部のうちいずれか１つの近くに配置され、サーバと通信するための通信回路、データを記憶する記憶部、複数の静電センサのうちいずれか１つによって浸水が検知されたとき、記憶部に記憶されたデータをバックアップするバックアップ部、および電源回路の近くの浸水検知部で浸水が検知されておらず、かつ通信回路の近くの浸水検知部で浸水が検知されていないとき、バックアップされたバックアップデータをサーバに送信する送信部を備える、携帯端末である。
【００３９】
第９の発明によれば、タッチキーとしても利用可能な静電センサによって、浸水を検知できる。
第１０の発明は、複数の開口部が設けられた筐体、複数の開口部の近くに配置された複数の浸水検知部、開口部のうちいずれか１つの近くに配置され、サーバと通信するための通信回路、データを記憶する記憶部、複数の浸水検知部のうちいずれか１つによって浸水が検知されたとき、記憶部に記憶されたデータをバックアップするバックアップ部、およびバックアップされたバックアップデータをサーバに送信する送信部を備え、通信回路の近くに配置されている浸水検知部によって浸水が検知されたとき、バックアップデータをサーバに送信しないようにする、携帯端末である。
【発明の効果】
【００４０】
この発明によれば、各開口部の近くに浸水検知部を配置することで、浸水している部位を特定することができる。
【００４１】
この発明の上述の目的、その他の目的、特徴および利点は、図面を参照して行う以下の実施例の詳細な説明から一層明らかとなろう。
【図面の簡単な説明】
【００４２】
【図１】図１はこの発明の一実施例の携帯電話機の電気的な構成を示す図解図である。
【図２】図２は図１に示す携帯端末の閉状態の外観の一例を示す図解図である。
【図３】図３は図１に示す携帯端末の開状態の外観の一例を示す図解図である。
【図４】図４は図１に示す静電センサの構成の一例を示す図解図である。
【図５】図４は図１に示す静電センサの構成の他の一例を示す図解図である。
【図６】図６は図１に示す携帯端末に内蔵される基板の一例を示す図解図である。
【図７】図７は図１に示すＲＡＭのメモリマップの一例を示す図解図である。
【図８】図８は図１に示すプロセッサの浸水検知処理を示すフロー図である。
【発明を実施するための形態】
【００４３】
図１を参照して、この実施例の携帯電話機１０は携帯端末の一種であり、CPUまたはコンピュータと呼ばれるプロセッサ２４を含む。また、このプロセッサ２４には、無線通信回路１４、Ａ／Ｄ１６、Ｄ／Ａ２０、キー入力装置２６、表示ドライバ２８、フラッシュメモリ３２、ＲＡＭ３４、静電センサ制御回路３６、インターフェース（以下、Ｉ／Ｆという。）３８および電源回路４４が接続される。無線通信回路１４にはアンテナ１２が接続され、Ａ／Ｄ１６にはマイク１８が接続される。Ｄ／Ａ２０にはアンプ（図示せず）を介して、スピーカ２２が接続される。表示ドライバ２８には、表示部として機能するディスプレイ３０が接続される。静電センサ制御回路３６には静電センサ３８が接続される。Ｉ／Ｆ４０にはメモリカード４２が接続される。そして、電源回路４４にはリチウムイオン電池である二次電池４６が接続される。
【００４４】
プロセッサ２４は、携帯電話機１０の全体制御を司る。ＲＡＭ３４は、プロセッサ２４の作業領域（描画領域を含む）ないしバッファ領域として用いられる。記憶部と呼ばれるフラッシュメモリ３２には、携帯電話機１０の文字、画像、音声、音および映像のようなコンテンツのデータが記録される。
【００４５】
Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００４６】
キー入力装置（キー入力部）２６は、通話キーおよび終話キーなどを備える。そして、使用者が操作したキーの情報（キーデータ）はプロセッサ２４に入力される。また、キー入力装置２６に含まれる各キーが操作されると、クリック音が鳴る。そのため、使用者は、クリック音を聞くことで、キー操作に対する操作感を得ることができる。
【００４７】
表示ドライバ２８は、プロセッサ２４の指示の下、当該表示ドライバ２８に接続されたディスプレイ３０の表示を制御する。なお、表示ドライバ２８は表示する画像データを一時的に記憶するビデオメモリ（図示せず）を含む。
【００４８】
浸水検知部として機能する静電センサ３８は、指や水などの物体が表面に接近することで静電容量が変化する静電容量方式のセンサである。また、静電センサ制御回路３６は静電センサ３８の静電容量の変化を監視することで、指または水などが静電センサ３８に接近または接触したことを検知する。さらに、静電センサ３８が複数ある場合、静電センサ制御回路３６は、物体が接近または接触した静電センサ３８を特定して、プロセッサ２４に伝える。
【００４９】
Ｉ／Ｆ４０は、外部記録装置であるメモリカード４２に保存されている画像ファイルや、音楽ファイルなどを読み出すためのインターフェースである。また、メモリカード４２には、ＲＡＭ３４に記憶されているアドレス帳データなどがバックアップデータとして、記憶されることもある。
【００５０】
電源回路４４は、電源管理用のICであり、二次電池４６と接続される。そして、電源回路４４は二次電池４６の電圧に基づく電源をシステム全体に供給する。ここで、電源回路４４が電源をシステム全体に供給している場合には、電源オン状態と言うことにする。一方、電源回路４４が電源をシステム全体に供給していない場合には、電源オフ状態と言うことにする。電源回路４４は、電源オフ状態で、キー入力装置２６によって電源オン操作がされると起動され、電源オフ状態で、キー入力装置２６による電源オフ操作がされると停止される。さらに、電源オフ状態であっても、電源回路４４は、外部電源コネクタ４８に外部電源が接続され、二次電池４６に電力が供給（充電）されると起動し、二次電池４６の満充電状態が検知されると停止する。また、「充電」とは、外部電源コネクタ４８が外部電源と接続され外部電源から電力の供給を受け、二次電池４６が電気エネルギーを蓄えることを言う。
【００５１】
無線通信回路１４は、CDMA方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００５２】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００５３】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音（着信メロディ、着信音声と言うこともある。）を出力させる。
【００５４】
そして、使用者が通話キーを用いて応答操作を行うと、無線通信回路１４は、プロセッサ２４の指示の下、電話着信処理を実行する。そして、通信可能状態が確立され、プロセッサ２４は上述した通常の通話処理を実行する。
【００５５】
また、通話可能状態に移行した後に終話キーによって通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００５６】
携帯電話機１０はデータ通信機能を有しており、ネットワーク１００を介してバックアップサーバ１０２とデータ通信を行う。また、携帯電話機１０は、自身の状態に応じて、メモリカード４２に記憶されたバックアップデータを、バックアップサーバ１０２にアップロード（送信）することがある。
【００５７】
なお、データ通信中における、無線通信回路１４は通信部として機能し、バックアップサーバ１０２は有線または無線でネットワーク１００と接続されている。また、携帯電話機１０は、メールサーバ（図示せず）とのデータ通信を行うことで、電子メールを送受信することができる。
【００５８】
図２（Ａ）,（Ｂ）は、携帯電話機１０の閉状態の外観を示す図解図であり、図３は、携帯電話機１０の開状態の外観を示す図解図である。図２（Ａ），（Ｂ）を参照して、携帯電話機１０は、各々が平面矩形の第１筐体Ｃ１および第２筐体Ｃ２を有する。なお、第１筐体Ｃ１および第２筐体Ｃ２の厚みは略同じである。
【００５９】
第２筐体Ｃ２の一方側面には、メモリカード４２が挿入される挿入口５０を覆う、カードカバーが設けられる。また、第２筐体Ｃ２の他方側面には、外部電源コネクタが接続される接続口５２を覆う、コネクタカバーが設けられる。たとえば、使用者がカードカバーを外して、メモリカード４２を挿入口５０に挿入すると、メモリカード４２は第１筐体Ｃ１の内部でＩ／Ｆ４０と接続される。また、使用者がコネクタカバーを外して、外部電源を接続口５２に接続すると、外部電源は外部電源コネクタ４８と接続される。
【００６０】
第１筐体Ｃ１と第２筐体Ｃ２とは、ヒンジ機構Ｈによって結合されている。このヒンジ機構Ｈは、第１筐体Ｃ１の長さ方向他方の側面に形成される。また、第２筐体Ｃ２は、長さ方向一方の内側面の露出する位置においてヒンジ機構Ｈと結合される。そして、ヒンジ機構Ｈは、第１筐体Ｃ１を第２筐体Ｃ２の上に重ねた状態で、第１筐体Ｃ１の短辺と平行な軸ＡＸを基準として可動させる。つまり、軸ＡＸを基準とした回転により、第１筐体Ｃ１と第２筐体Ｃ２とを開閉させる。また、ヒンジ機構Ｈは、開状態で第１筐体Ｃ１を任意の角度で保持することが可能であり、ヒンジ機構Ｈは任意の角度で開かれた第１筐体Ｃ１の保持をアシストするアシスト機構を含む。
【００６１】
図３を参照して、携帯電話機１０の開状態では、図示しないマイク１６は、第２筐体Ｃ２に内蔵され、内蔵されたマイク１６に通じる開口ＯＰ１は第２筐体Ｃ２の長さ方向他方の内側面に設けられる。同じく、図示しないスピーカ１８は、第１筐体Ｃ１に内蔵され、内蔵されたスピーカ１８に通じる開口ＯＰ２は、第１筐体Ｃ１の長さ方向一方の内側面に設けられる。
【００６２】
キー入力装置２６は、複数のキーをさらに含んでおり、それぞれのキーは第２筐体Ｃ２の内側面に設けられる。たとえば、キー入力装置２６は、十字キー、通話キー、終話キー、メニューキーおよびテンキーなどを含む。また、ディスプレイ３０は、モニタ画面が第１筐体Ｃ１の内側面に露出するように取り付けられる。
【００６３】
たとえば、使用者は、ディスプレイ３０を確認しながら、テンキーを操作して電話番号を入力し、通話キーによって発呼操作を行うことができる。そして、使用者は、終話キーによって通話終了操作を行う。また、使用者は、終話キーを長押しすることで携帯電話機１０の電源をオン／オフする。さらに、終話キーが短押しされると、待機状態を示す画像がディスプレイ２６に表示され、携帯電話機１０は待機状態となる。
【００６４】
なお、携帯通信端末１０の開状態および閉状態は、磁気センサおよび磁石などを利用して検出される。また、アンテナ１２、無線通信回路１４、プロセッサ２４、表示ドライバ２８、フラッシュメモリ３２、ＲＡＭ３４、静電センサ制御回路３６、静電センサ３８、Ｉ／Ｆ４０、電源回路４４、二次電池４６および外部電源コネクタ４８は、第１筐体Ｃ１または第２筐体Ｃ２に内蔵されており、図２（Ａ），（Ｂ）および図３では、図示されない。
【００６５】
図４（Ａ），（Ｂ）は、静電センサ３８の構成を示す図解図である。図４（Ａ）を参照して、静電センサ３８は、ＧＮＤ面６０と、銅箔テープによって形成されたセンサパターン６２とから構成されている。そして、静電センサ制御回路３６は、センサパターン６２によって生じる静電容量の変化量を逐次監視する。たとえば、静電センサ制御回路３６は、センサパターン６２によって生じる静電容量を、所定周期（１００ms）毎に積分法によって求める。そして、図４（Ｂ）のように、水Ｗがセンサパターン６２の上にかかると静電容量の変化量が閾値を超えるため、静電センサ制御回路３６は、静電センサ３８に水がかかっていることを検知できる。また、センサパターン６２には、ソルダーレジストが塗布されているため、センサパターン６２に水がかかったとしても、短絡（ショート）が発生することは無い。
【００６６】
なお、センサパターン６２の形状は、図４（Ａ）に示す矩形だけでなく、静電センサ３８を配置する場所や用途に合わせて変更されてもよい。たとえば、センサパターン６２は、図５（Ａ）に示すアルファベットの「Ｅ」のような形でもよい。また、図５（Ｂ）に示すように、複数のセンサパターン６２ａ−６２ｃが一つのＧＮＤ面６０に形成されてもよい。
【００６７】
ここで、本実施例では、携帯電話機１０に内蔵される基板上に、静電センサ３８を設けて、浸水を検知する。また、浸水が検知された場合、プロセッサ２４は、浸水を検知した部位毎に異なる第１浸水検知処理を実行することで、携帯電話機１０のデータを保護する。また、本実施例では、第１浸水検知処理と合わせて第２浸水検知処理も実行される。
【００６８】
たとえば、携帯電話機１０に水が浸入したときに、浸水した部位毎に異なる第１浸水検知処理と、浸水した部位に関係なく共通して実行される第２浸水検知処理とに分けて実行されるので、携帯電話機１０が実行する処理は単純になる。そして、処理が単純になると、処理時間も短縮されるため、データを素早く保護できるようになる。
【００６９】
また、第２浸水検知処理には、バックアップ処理、通知処理および表示処理が含まれている。バックアップ処理は、ＲＡＭ３４に記憶されるデータのうち、アドレス帳データや、受信メールデータなどのテキストデータを、バックアップデータとしてメモリカード４２に記憶する処理である。そして、取り外しが容易なメモリカードに、携帯電話機１０のデータがバックアップされるため、使用者は、携帯電話機１０を容易に復旧できるようになる。
【００７０】
また、通知処理は、携帯電話機１０の電話番号、機種名および製造番号などの端末データ、浸水を検知した検知時刻および浸水が検知された検知部位を、識別情報として事業者のデータサーバに通知する処理である。また、事業者のデータサーバは、通知された上記識別情報を、ログ（データベース）として蓄積する。そして、浸水した携帯電話機が修理に出されると、事業者はデータサーバに蓄積されたログから、修理に出された携帯電話機１０の端末データを検索することで、浸水が検知された時刻と部位とを容易に特定することができる。したがって、事業者は、浸水した携帯電話機１０が修理に出されると、その携帯端末から通知された識別情報を利用して、携帯電話機１０の現状を詳細に知ることができるため、携帯端末を容易に修理できるようになる。また、事業者は、データサーバのログを利用して携帯電話機１０の市場不良解析を行うこともできる。
【００７１】
なお、「事業者」は、携帯電話機１０のキャリア（通信事業者）、製造メーカおよび販売店のいずれか１つ、または任意の組み合わせから構成される。また、通知された識別情報は、たとえばキャリアが管理する１台のデータサーバに蓄積される。そして、製造メーカおよび販売店は、キャリアが管理するデータサーバにアクセスすることで、通知された識別情報のログを容易に利用できる。
【００７２】
さらに、表示処理は、携帯電話機１０の内部に水が浸入したことを伝えるメッセージを表示する処理である。つまり、使用者に対して、携帯電話機１０を修理に出すように促すことができる。
【００７３】
続いて、遮断処理および送信処理を含む、第１浸水検知処理について説明する。図６を参照して、第２筐体Ｃ２に内蔵される基板７０には、アンテナ１２、無線通信回路１４、プロセッサ２４、フラッシュメモリ３２、ＲＡＭ３４、静電センサ制御回路３６、電源回路４４および外部電源コネクタ４８などが配置される。また、基板７０は、上側が第２筐体Ｃ２のヒンジ機構Ｈに対応し、下側が開口ＯＰ１に対応する。さらに、開口ＯＰ１の近くには無線通信回路１４およびＩ／Ｆ４０が配置され、挿入口５０の近くにはＩ／Ｆ４０が配置され、接続口５２の近くには電源回路４４および外部電源コネクタ４８が配置される。なお、図示は省略するが、ヒンジ機構Ｈの近くには、基板７０と、が第１筐体Ｃ１に内蔵される基板とを接続するフレキシブル基板（またはケーブル）のコネクタが設けられている。
【００７４】
さらに、開口ＯＰ１、挿入口５０、接続口５２およびヒンジ機構Ｈの隙間（まとめて、「開口部」と言うこともある。）からの浸水を検知するために、基板７０には、各開口部の近くに４つの静電センサ３８が配置される。なお、図示していないが、開口ＯＰ２の近くにも静電センサ３８が配置されている。
【００７５】
たとえば、開口ＯＰ１の近くには、カタカナの「ト」のような形をした、静電センサ３８ａが配置される。そして、開口ＯＰ１から浸入した水は静電センサ３８ａによって検知される。また、挿入口５０の近くには、カタカナの「コ」のような形をした、静電センサ３８ｂが配置される。そして、挿入口５０から浸入した水は静電センサ３８ｂによって検知される。また、接続口５２の近くには、電源回路４４の周囲を略囲うような形をした、静電センサ３８ｃが配置される。そして、接続口５２から浸入した水は静電センサ３８ｃによって検知される。さらに、ヒンジ機構Ｈの隙間の近くには、横長な形をした静電センサ３８ｄが配置される。そして、ヒンジ機構Ｈの隙間から浸入した水は静電センサ３８ｄによって検知される。
【００７６】
また、電源回路４４の近く接続口５２から水が浸入して電源回路４４に水がかかると、大電流での短絡（ショート）によってデータが消滅する可能性が有るため、携帯電話機１０の電源はオフにされる。具体的な動作としては、接続口５２の近くに配置された静電センサ３８ｃの静電容量が変化すると、プロセッサ２４は、使用者の操作に関係なく、電源回路４４による給電を遮断する命令を発行する。そして、電源回路４４は、プロセッサ２４の命令を受けて、システム全体への給電を遮断する。このように、電源回路４４の近くで浸水が検知された場合、携帯電話機１０の電源がオフにされるため、携帯電話機１０のデータが保護される。
【００７７】
また、電源回路４４の近くに配置されていないセンサ、静電センサ３８ｂまたは静電センサ３８ｄによって浸水が検知された場合、メモリカード４２に記録されたバックアップデータを、バックアップサーバ１０２に送信する。つまり、バックアップデータが、メモリカード４２およびバックアップサーバ１０２の両方に保存されるため、データ保護の信頼性を向上させることができる。
【００７８】
ただし、無線通信回路１４の近くに配置されている静電センサ３８によって浸水が検知された場合、無線通信回路１４が故障している可能性が有るため、バックアップデータがバックアップサーバ１０２に送信されないようにする。つまり、バックアップデータが正常に送信されない可能性あるため、バックアップデータが送信されないようにする。なお、他の実施例では、無線通信回路１４の近くに配置されている静電センサ３８によって浸水が検知されたとしても、バックアップデータがバックアップサーバ１０２に送信されてもよい。
【００７９】
図７は、ＲＡＭ３４のメモリマップ３００を示す図である。ＲＡＭ３４のメモリマップ３００には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００８０】
プログラム記憶領域３０２には、携帯電話機１０を動作させるためのプログラムが記憶されている。たとえば、携帯電話機１０を動作させるためのプログラムは、浸水検知プログラム３１０などから構成されている。浸水検知プログラム３１０は、静電センサ３８によって浸水が検知されたときに実行されるプログラムである。
【００８１】
なお、図示は省略するが、携帯電話機１０を動作させるためのプログラムには、電話着信状態を通知するためのプログラムおよび通話状態を確立するためのプログラムなどが含まれる。
【００８２】
続いて、データ記憶領域３０４には、センサバッファ３３０が設けられるとともに。端末データ３３２、アドレス帳データ３３４およびメールデータ３３６が記憶される。また、データ記憶領域３０４には、浸水フラグ３３８が設けられる。
【００８３】
センサバッファ３３０には、静電容量が変化した静電センサ３８を特定するためのデータが一時的に記憶される。たとえば、静電センサ３８ａに水が接触した場合、静電センサ制御回路３６によって静電容量の変化が検知され、静電センサ３８ａを示すデータ（たとえば数字列）がセンサバッファ３３０に格納される。
【００８４】
端末データ３３２は、携帯電話機１０に設定されている電話番号、機種名、製造番号およびメールアドレスなどから構成されたデータである。たとえば、浸水が検知されたとき、プロセッサ２４は、端末データ３３２、浸水部位および検知時刻を読み出して、識別データ（識別情報）を作成する。そして、プロセッサ２４は、作成された識別データを事業者に通知する。
【００８５】
アドレス帳データ３３６は、使用者によって登録された名前や電話番号から構成される。メールデータ３３８は、携帯電話機１０で送受信されたメールのデータである。また、浸水が検知されると、プロセッサ２４はＲＡＭ３４に記憶されているアドレス帳データ３３６およびメールデータ３３８をバックアップデータとして、メモリカード４２に記録する。
【００８６】
浸水フラグ３３８は、浸水が検知されたか否かを判断するためのフラグである。たとえば、浸水フラグ３３８は、１ビットのレジスタで構成される。浸水フラグ３３８がオン（成立）されると、レジスタにはデータ値「１」が設定される。一方、浸水フラグ３３８がオフ（不成立）されると、レジスタにはデータ値「０」が設定される。そして、浸水フラグ３３８は、静電センサ制御回路３６が静電容量の変化を検知したときにオンにされる。
【００８７】
なお、図示は省略するが、データ記憶領域３０４には、RTCが出力するデータを一時的に記憶するバッファや、文字列を表示するための文字データなどが記憶されると共に、携帯電話機１０の動作に必要なカウンタや、フラグも設けられる。
【００８８】
プロセッサ２４は、Android（登録商標）およびREXなどのLinux（登録商標）ベースのOSや、その他のOSの制御下で、図８に示す浸水検知処理などを含む、複数のタスクを並列的に処理する。
【００８９】
図８は浸水検知処理のフロー図である。静電センサ３８によって浸水が検知されると、プロセッサ２４はステップＳ１で、データをバックアップする。つまり、ＲＡＭ３４に記憶されている、アドレス帳データ３３４およびメールデータ３３６を、バックアップデータとしてメモリカード４２に記憶させる。続いて、プロセッサ２４は、ステップＳ３で、静電センサ３８ｃが浸水を検知したか否かを判断する。つまり、プロセッサ２４は、電源回路４４の近くに配置された静電センサ３８ｃの静電容量が変化したかを判断する。また、具体的には、プロセッサ２４は、センサバッファ３３０に、静電センサ３８ｃを示すデータが格納されているか否かを判断する。
【００９０】
ステップＳ３で“ＮＯ”であれば、つまり電源回路４４の近くに配置された静電センサ３８ｃが浸水を検知していなければ、プロセッサ２４はステップＳ１１に進む。一方、ステップＳ３で“ＹＥＳ”であれば、つまり電源回路４４の近くに配置された静電センサ３８ｃが浸水を検知していれば、プロセッサ２４はステップＳ５で、警告メッセージを表示する。たとえば、プロセッサ２４は、「携帯電話機の内部に水が浸入しました。非常に危険な状態ですので電源をオフにします。」という文字列をディスプレイ３０に表示させる。なお、ステップＳ５で表示されるメッセージは、一定時間（たとえば、５秒）後には消去される。
【００９１】
続いて、プロセッサ２４は、ステップＳ７で、事業者に通知する。つまり、プロセッサ２４は、ＲＡＭ３４から、静電容量が変化した静電センサ３８を示すデータと、携帯電話機１０の電話番号、機種名および製造番号などが含まれる端末データ３３２と、図示しないRTCから読み出された時刻とを読み出し、識別データ（識別情報）を作成する。そして、プロセッサ２４は、作成された識別データを事業者のサーバに送信する。
【００９２】
続いて、プロセッサ２４は、ステップＳ９で、電源オフ命令を発行し、浸水検知処理を終了する。つまり、プロセッサ２４は電源回路４４による給電を遮断するために、電源オフ命令を電源回路４４に発行する。
【００９３】
また、電源回路４４の近くに配置された静電センサ３８ｃによって浸水が検知されていなければ、プロセッサ２４はステップＳ１１で、静電センサ３８ａが浸水を検知したか否かを判断する。つまり、プロセッサ２４は、無線通信回路１４の近くに配置された静電センサ３８ａが浸水を検知したか否かを判断する。ステップＳ１１で“ＮＯ”であれば、たとえば、挿入口５０の近くに配置された静電センサ３８ｂによって浸水が検知されていれば、プロセッサ２４はステップＳ１３で、バックアップデータを送信する。つまり、プロセッサ２４は、メモリカード４２に記録されたバックアップデータを読み出し、バックアップサーバ１０２に送信する。
【００９４】
続いて、プロセッサ２４は、ステップＳ１５で警告メッセージを表示する。たとえば、プロセッサ２４は、「携帯電話機の内部に水が浸入しました。最寄りの販売店へお持ちください。」という文字列を、ディスプレイ３０に表示する。続いて、プロセッサ２４はステップＳ１７で、ステップＳ７と同様に、事業者へ通知し、ステップＳ２３に進む。
【００９５】
また、ステップＳ１１で“ＹＥＳ”であれば、つまり無線通信回路１４の近くに配置された静電センサ３８ａによって浸水が検知されていれば、プロセッサ２４はステップＳ１９で、ステップＳ１５と同様、警告メッセージを表示し、ステップＳ２１でステップＳ１５と同じように、事業者へ通知する。つまり、無線通信回路１４の近くで浸水が検知された場合、バックアップデータがバックアップサーバ１０２に送信されないようにする。
【００９６】
続いて、プロセッサ２４は、ステップＳ２３で、確認メッセージを表示する。たとえば、プロセサ２４は、「携帯電話機の電源をオフにしますか？」という確認メッセージを、ディスプレイ３０に表示する。続いて、プロセッサ２４は、ステップＳ２５で、オフにする操作がされたか否かを判断する。たとえば、確認メッセージと共に「はい」と書かれたキーが表示されている場合、プロセッサ２４は「はい」と書かれたキーが操作されたか否かを判断する。ステップＳ２５で“ＹＥＳ”であれば、つまり「携帯電話機の電源をオフにしますか？」という確認メッセージに対して「はい」と書かれたキーが操作されると、プロセッサ２４はステップＳ９に進む。つまり、ステップＳ９で電源オフ命令が発行され、携帯電話機１０の電源がオフにされる。
【００９７】
また、ステップＳ２５で“ＮＯ”であれば、つまり「はい」と書かれたキーが操作されなければ、プロセッサ２４はステップＳ２７で、オン状態を維持する操作がされたか否かを判断する。たとえば、「はい」と書かれたキーに加えて「いいえ」と書かれたキーが表示されている場合、プロセッサ２４は「いいえ」と書かれたキーが操作されたか否かを判断する。ステップＳ２７で“ＮＯ”であれば、たとえば使用者が全く操作しなければ、プロセッサ２４はステップＳ２５およびステップＳ２７の処理を繰り返し実行する。一方、ステップＳ２７で“ＹＥＳ”であれば、つまり「携帯電話機の電源をオフにしますか？」という確認メッセージに対して「いいえ」と書かれたキーが操作されると、プロセッサ２４は浸水検知処理を終了する。つまり、携帯電話機１０の電源はオンのままにされる。
【００９８】
なお、他の実施例では、ステップＳ１５およびステップＳ１９で表示される警告メッセージの表示時間は、使用者によって確認しやすくするために、ステップＳ５で表示される警告メッセージの表示時間より長くされてもよい。
【００９９】
また、他の実施例では、確認メッセージが表示されてから、携帯電話機１０が全く操作されないことも考えられるので、確認メッセージが表示されてから無操作のまま放置されると、携帯電話機１０の電源が自動的に切れるようにしてもよい。具体的には、ステップＳ２７で“ＮＯ”と判断された場合、プロセッサ２４はタイムアウト判定の処理を実行する。タイムアウト判定で“ＮＯ”であれば、プロセッサ２４はステップＳ２３に戻る。一方、タイムアウト判定で“ＹＥＳ”であれば、プロセッサ２４はステップＳ９の処理を実行し、携帯電話機１０の電源をオフにする。
【０１００】
また、他の実施例では、警告メッセージを表示するステップＳ５，Ｓ１５，１９の処理は、まとめてステップＳ１とステップＳ３との処理の間で実行されてもよい。さらに、事業者に通知するステップＳ７，Ｓ１７，Ｓ２１の処理も、まとめてステップＳ１とステップＳ３との処理の間で実行されてもよい。つまり、他の実施例では、ステップＳ１の処理の後に、警告メッセージを表示処理と、事業者へ通知する処理とが実行される。
【０１０１】
また、ステップＳ９またはステップＳ１３の処理を実行するプロセッサ２４は第１実行部として機能する。さらに、ステップＳ１，Ｓ５，Ｓ７，Ｓ１５，Ｓ１７，Ｓ１９またはＳ２１の処理を実行するプロセッサ２４は第２実行部として機能する。
【０１０２】
以上の説明から分かるように、折り畳み型の携帯電話機１０は、第１筐体Ｃ１および第２筐体Ｃ２を有している。２つの筐体には、開口部として、通話中に利用されるスピーカ１８およびマイク２２のための開口ＯＰ１，ＯＰ２や、メモリカード４２を挿入するための挿入口５０および外部電源の接続口５２が設けられる。静電センサ３８ａ−３８ｄは、第１筐体Ｃ１に内蔵される基板７０において、各開口部の近くに位置に配置される。そして、電源回路４４の近くに配置された静電センサ３８ｃによって浸水が検知された場合、プロセッサ２４は、電源回路４４からの給電を遮断する。また、電源回路４４および無線通信回路１４の近くに配置されていない静電センサ３８ｂ，３８ｄによって浸水が検知され場合、プロセッサ２４は、メモリカード４２に保存されたバックアップデータを、バックアップサーバ１０２に送信する。
【０１０３】
このように、携帯電話機１０では、浸水している部位に合わせて浸水検知処理が実行されるため、フラッシュメモリ３４のデータが適切に保護される。
【０１０４】
また、本実施例では、タッチキーとしても利用可能な静電センサ３８を利用して、浸水を検知することができる。たとえば、タッチキーまたはタッチパネルを最初から備える携帯電話機では、図４（Ａ）などに示されるような簡単な構成の静電センサ３８を追加するだけで良くなるため、携帯電話機１０の仕様をあまり変更しなくて済む。
【０１０５】
なお、基板７０上の回路の配置は、携帯電話機１０の仕様変更などに応じて変更されてもよい。この場合、浸水が検知されることで実行される第１浸水検知処理も変わる。たとえば、ヒンジ機構Ｈの隙間の近くに電源回路４４が配置される場合、ヒンジ機構Ｈの隙間の近くに配置される静電センサ３８が浸水を検知すれば、携帯電話機１０の電源がオフにされる。また、静電センサ３８は、基板７０とACF(Anisotropic Conductive Film)接続されたフレキシブル基板(FPC：Flexible printed circuits)基板上に設けられてもよい。たとえば、静電センサ３８のセンサパターンはフレキシブル基板の曲面部分に設けることができるため、開口部により近い位置にセンサパターンを配置でき、開口部により近い位置で浸水を検知することができるようになる。また、静電センサ３８がフレキシブル基板上に設けられる場合、カバーレイによって覆われているため、水がかかってもショートが起きることは無い。
【０１０６】
また、他の実施例では、開口部の数が変化してもよい。たとえば、音楽を出力するためのスピーカや、イヤフォン端子がさらに設けられる場合、スピーカおよびイヤフォン端子に通じる開口部がさらに設けられる。そして、この場合、新たに設けられた開口部の近くにも静電センサ３８が配置される。
【０１０７】
また、他の実施例では、第１浸水検知処理および第２浸水検知処理には、携帯電話機１０の仕様変更に対応した処理が加えられてもよい。たとえば、携帯電話機１０が音楽を再生する機能を有する場合、第１浸水検知処理には、音楽データをデコードするデコード回路の近くで浸水が検知されればデコード回路への給電を遮断する「遮断処理」が加えられる。また、第２浸水検知処理には、再生中の音楽を停止するための「停止処理」が加えられる。
【０１０８】
また、携帯電話機１０がＧＰＳ信号を受信できる場合、事業者に通知される識別データには、ＧＰＳ信号に基づく位置情報が含まれることがある。
【０１０９】
また、作成された識別データは、事業者に送信された後にはＲＡＭ３４から削除されるが、無線通信回路１４の故障などによって事業者に通知できない状態であれば、フラッシュメモリ３２に保存される。
【０１１０】
また、バックアップデータに含まれるデータは、アドレス帳データ３３４およびメールデータ３３６だけに限らない。たとえば、バックアップデータには、スケジュールデータや、アラーム設定データなどのテキストで構成されているデータが含まれることもある。
【０１１１】
また、外部電源コネクタ４８には専用コネクタが用いられるが、他の実施例では、外部電源コネクタ４８としてUSBコネクタが用いられてもよい。
【０１１２】
また、二次電池４６としてリチウムイオン電池を採用したが、鉛蓄電池、ニッケル水素電池、ナトリウムイオン電池、金属空気電池および亜鉛臭素電池などであってもよい。
【０１１３】
また、携帯電話機１０の形状は１軸の折り畳み型であったが、２軸の折り畳み型や、スライド型、ストレート型およびリボルバー型などであってもよい。
【０１１４】
また、携帯電話機１０の通信方式はCDMA方式であるが、LTE(Long Term Evolution)方式、W-CDMA方式、GSM方式、TDMA方式、FDMA方式およびPHS方式などが採用されてもよい。
【０１１５】
また、浸水検知プログラム３１０は、データ配信用のサーバのHDDに記憶され、ネットワークを介して携帯電話機１０に配信されてもよい。また、CD,DVD,BD(Blu-ray Disc)などの光学ディスク、USBメモリおよびメモリカードなどの記憶媒体にこれらのプログラムを記憶させた状態で、その記憶媒体が販売または配布されてもよい。そして、上記したサーバや記憶媒体などを通じてダウンロードされた、浸水検知プログラム３１０が、本実施例と同等の構成の携帯電話機にインストールされた場合、本実施例と同等の効果が得られる。
【０１１６】
さらに、本実施例は、携帯電話機１０のみに限らず、スマートフォンおよびPDA(Personal Digital Assistant)に適用されてもよい。
【０１１７】
そして、本明細書中で挙げた、一定時間および所定時間などの具体的な数値は、いずれも単なる一例であり、製品の仕様などの必要に応じて適宜変更可能である。
【符号の説明】
【０１１８】
１０    …  携帯電話機
１２    …  アンテナ
１４    …  無線通信回路
３２    …  フラッシュメモリ
３４    …  ＲＡＭ
３６    …  静電センサ制御回路
３８ａ−３８ｄ    …  静電センサ
４０    …  Ｉ／Ｆ
４２    …  メモリカード
４４    …  電源回路
４６    …  二次電池
４８    …  外部電源コネクタ
５０    …  挿入口
４８    …  接続口
ＯＰ１，ＯＰ２    …  開口
【図１】
0005662753.tif 000002
【図２】
0005662753.tif 000003
【図３】
0005662753.tif 000004
【図４】
0005662753.tif 000005
【図５】
0005662753.tif 000006
【図６】
0005662753.tif 000007
【図７】
0005662753.tif 000008
【図８】
0005662753.tif 000009